【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報の変動表示を行なって表示結果を導出表示する変動表示装置を備え、該変動表示装置における前記識別情報の変動表示の表示結果が予め定められた特定表示結果となったときに、遊技者にとって有利な特定遊技状態に制御され、さらに、前記識別情報の変動表示の表示結果を前記特定表示結果のうちで予め定められた特別表示結果とする旨に決定されたときに、前記特定遊技状態が終了した後に該特定遊技状態とは異なる遊技者にとって有利な特別遊技状態に制御される遊技機であって、
遊技の進行を制御し、前記変動表示装置を制御するための制御信号を出力する遊技制御手段と、
該遊技制御手段からの前記制御信号に基づいて前記変動表示装置を含む演出制御装置の制御を行なう演出制御手段とを備え、
前記遊技制御手段は、
前記識別情報の変動表示の表示結果を前記特定表示結果とするか否か、および、前記特別遊技状態に制御するか否かを決定する事前決定手段と、
前記事前決定手段によって変動表示の表示結果を前記特定表示結果とする旨の決定がされたとき、前記特別表示結果以外の特定表示結果を仮停止させた後、前記特別表示結果および前記特別表示結果以外の特定表示結果のいずれかを導出表示させる第１演出表示を実行させるか否かを決定する第１演出表示実行決定手段と、
前記事前決定手段によって表示結果を前記特定表示結果とする旨の決定がされたとき、前記特定遊技状態が開始された後に、前記変動表示装置において前記特別遊技状態に制御されるか否かを示す第２演出表示を実行させるか否かを決定する第２演出表示実行決定手段と、
前記識別情報の変動表示を開始するときに、前記制御信号として、前記第１演出表示実行決定手段による決定結果と、前記識別情報の変動表示を開始してから表示結果を導出表示するまでの変動表示時間と、前記識別情報の変動表示の実行開始とを示す変動表示開始コマンドを送信する変動表示開始コマンド送信手段と、
前記識別情報の変動表示を開始するときに、前記制御信号として、前記事前決定手段による決定結果と、前記第２演出表示実行決定手段による決定結果とを示す結果コマンドを送信する結果コマンド送信手段と、
前記特定遊技状態が開始された後に、前記制御信号として、前記事前決定手段による決定結果と、前記第２演出表示実行決定手段による決定結果とを示す第２演出表示コマンドを送信する第２演出表示コマンド送信手段とを含み、
前記演出制御手段は、
前記変動表示装置において、前記変動表示開始コマンド送信手段によって送信された変動表示開始コマンドに基づいて識別情報の変動表示を開始させた後、当該変動表示開始コマンドに基づく変動表示時間が経過したときに、表示結果を導出表示させる変動表示制御手段と、
前記変動表示開始コマンド送信手段によって送信された変動表示開始コマンドにより前記第１演出表示を実行させる旨が示されているとき、前記第１演出表示を実行させる第１演出表示実行制御手段と、
前記第１演出表示が実行される前に、前記結果コマンド送信手段によって送信された結果コマンドにより、前記第２演出表示を実行させる旨が示されたか否かを判定する結果コマンド判定手段と、
前記第２演出表示コマンド送信手段によって第２演出表示コマンドが送信された後に、前記結果コマンド送信手段によって送信された結果コマンドと、前記第２演出表示コマンド送信手段によって送信された第２演出表示コマンドとの少なくともいずれか一方により、前記第２演出表示を実行させる旨が示されたか否かを判定する第２演出判定手段と、
前記特定遊技状態が開始された後、前記第２演出判定手段によって前記第２演出表示を実行させる旨が示されたと判定されたときに、前記第２演出表示を実行させる第２演出表示実行制御手段とを含み、
前記演出制御手段は、
前記変動表示開始コマンドによって前記第１演出表示を実行させる旨が示され、かつ、前記結果コマンド判定手段によって前記第２演出表示を実行させる旨が示された旨の判定がされたときに、前記結果コマンドが前記特別遊技状態に制御される旨を示しているときには、前記第１演出表示実行制御手段により、前記第１演出表示で前記特別表示結果以外の特定表示結果を導出表示させ、前記第２演出表示実行制御手段により、前記第２演出表示で前記特別遊技状態に制御される旨を表示させることを特徴とする、遊技機。
【請求項２】
各々が識別可能な複数種類の識別情報の変動表示を行なって表示結果を導出表示する変動表示装置を備え、該変動表示装置における前記識別情報の変動表示の表示結果が予め定められた特定表示結果となったときに、遊技者にとって有利な特定遊技状態に制御され、さらに、前記識別情報の変動表示の表示結果を前記特定表示結果のうちで予め定められた特別表示結果とする旨に決定されたときに、前記特定遊技状態が終了した後に該特定遊技状態とは異なる遊技者にとって有利な特別遊技状態に制御される遊技機であって、
遊技の進行を制御し、前記変動表示装置を制御するための制御信号を出力する遊技制御手段と、
該遊技制御手段からの前記制御信号に基づいて前記変動表示装置を含む演出制御装置の制御を行なう演出制御手段とを備え、
前記遊技制御手段は、
前記識別情報の変動表示の表示結果を前記特定表示結果とするか否か、および、前記特別遊技状態に制御するか否かを決定する事前決定手段と、
前記事前決定手段によって変動表示の表示結果を前記特定表示結果とする旨の決定がされたとき、前記特別表示結果以外の特定表示結果を仮停止させた後、前記特別表示結果および前記特別表示結果以外の特定表示結果のいずれかを導出表示させる第１演出表示を実行させるか否かを決定する第１演出表示実行決定手段と、
前記事前決定手段によって表示結果を前記特定表示結果とする旨の決定がされたとき、前記特定遊技状態が開始された後に、前記変動表示装置において前記特別遊技状態に制御されるか否かを示す第２演出表示を実行させるか否かを決定する第２演出表示実行決定手段と、
前記識別情報の変動表示を開始するときに、前記制御信号として、前記第１演出表示実行決定手段による決定結果と、前記第２演出表示実行決定手段による決定結果と、前記識別情報の変動表示を開始してから表示結果を導出表示するまでの変動表示時間と、前記識別情報の変動表示の実行開始とを示す変動表示開始コマンドを送信する変動表示開始コマンド送信手段と、
前記識別情報の変動表示を開始するときに、前記制御信号として、前記事前決定手段による決定結果を示す結果コマンドを送信する結果コマンド送信手段と、
前記特定遊技状態が開始された後に、前記制御信号として、前記事前決定手段による決定結果と、前記第２演出表示実行決定手段による決定結果とを示す第２演出表示コマンドを送信する第２演出表示コマンド送信手段とを含み、
前記演出制御手段は、
前記変動表示装置において、前記変動表示開始コマンド送信手段によって送信された変動表示開始コマンドに基づいて識別情報の変動表示を開始させた後、当該変動表示開始コマンドに基づく変動表示時間が経過したときに、表示結果を導出表示させる変動表示制御手段と、
前記変動表示開始コマンド送信手段によって送信された変動表示開始コマンドにより前記第１演出表示を実行させる旨が示されているとき、前記第１演出表示を実行させる第１演出表示実行制御手段と、
前記第１演出表示が実行される前に、前記変動表示開始コマンド送信手段によって送信された変動表示開始コマンドにより、前記第２演出表示を実行させる旨が示されたか否かを判定する変動表示開始コマンド判定手段と、
前記第２演出表示コマンド送信手段によって第２演出表示コマンドが送信された後に、前記変動表示開始コマンド送信手段によって送信された変動表示開始コマンドと、前記第２演出表示コマンド送信手段によって送信された第２演出表示コマンドとの少なくともいずれか一方により、前記第２演出表示を実行させる旨が示されたか否かを判定する第２演出判定手段と、
前記特定遊技状態が開始された後、前記第２演出判定手段によって前記第２演出表示を実行させる旨が示されたと判定されたときに、前記第２演出表示を実行させる第２演出表示実行制御手段とを含み、
前記演出制御手段は、
前記変動表示開始コマンドによって前記第１演出表示を実行させる旨が示され、かつ、前記変動表示開始コマンド判定手段によって前記第２演出表示を実行させる旨が示された旨の判定がされたときに、前記結果コマンドが前記特別遊技状態に制御される旨を示しているときには、前記第１演出表示実行制御手段により、前記第１演出表示で前記特別表示結果以外の特定表示結果を導出表示させ、前記第２演出表示実行制御手段により、前記第２演出表示で前記特別遊技状態に制御される旨を表示させることを特徴とする、遊技機。
【請求項３】
前記第２演出表示コマンドは、前記特定遊技状態を開始することをさらに示し、
前記第２演出表示コマンド送信手段は、前記特定遊技状態が開始されるときに、前記第２演出表示コマンドを送信する、請求項１または２に記載の遊技機。
【請求項４】
前記特定遊技状態は、所定の開始条件が成立したときに開始され、所定の終了条件が成立したときに終了し、繰返し実行される遊技者にとって有利な複数のラウンドを含み、
前記第２演出表示コマンドは、前記ラウンドを開始すること、および、前記ラウンドを終了することのうちの少なくとも一方をさらに示し、
前記第２演出表示コマンド送信手段は、前記ラウンドが開始されるとき、および、ラウンドが終了されるときの少なくとも一方に、前記第２演出表示コマンドを送信する、ことを特徴とする、請求項１または２に記載の遊技機。
【請求項５】
前記第２演出表示コマンドは、前記特定遊技状態を終了することをさらに示し、
前記第２演出表示コマンド送信手段は、前記特定遊技状態が終了するときに、前記第２演出表示コマンドを送信する、請求項１または２に記載の遊技機。
【請求項６】
各々が識別可能な複数種類の識別情報の変動表示を行なって表示結果を導出表示する変動表示装置を備え、該変動表示装置における前記識別情報の変動表示の表示結果が予め定められた特定表示結果となったときに、遊技者にとって有利な特定遊技状態に制御され、さらに、前記識別情報の変動表示の表示結果を前記特定表示結果のうちで予め定められた特別表示結果とする旨に決定されたときに、前記特定遊技状態が終了した後に該特定遊技状態とは異なる遊技者にとって有利な特別遊技状態に制御される遊技機であって、
遊技の進行を制御し、前記変動表示装置を制御するための制御信号を出力する遊技制御手段と、
該遊技制御手段からの前記制御信号に基づいて前記変動表示装置を含む演出制御装置の制御を行なう演出制御手段とを備え、
前記遊技制御手段は、
前記識別情報の変動表示の表示結果を前記特定表示結果とするか否か、および、前記特別遊技状態に制御するか否かを決定する事前決定手段と、
前記事前決定手段によって変動表示の表示結果を前記特定表示結果とする旨の決定がされたとき、前記特別表示結果以外の特定表示結果を仮停止させた後、前記特別表示結果および前記特別表示結果以外の特定表示結果のいずれかを導出表示させる第１演出表示を実行させるか否かを決定する第１演出表示実行決定手段と、
前記事前決定手段によって表示結果を前記特定表示結果とする旨の決定がされたとき、前記特定遊技状態が開始された後に、前記変動表示装置において前記特別遊技状態に制御されるか否かを示す第２演出表示を実行させるか否かを決定する第２演出表示実行決定手段と、
前記識別情報の変動表示を開始するときに、前記制御信号として、前記事前決定手段による決定結果と、前記第１演出表示実行決定手段による決定結果と、前記第２演出表示実行決定手段による決定結果と、前記識別情報の変動表示を開始してから表示結果を導出表示するまでの変動表示時間と、前記識別情報の変動表示の実行開始とを示す変動表示開始コマンドを送信する変動表示開始コマンド送信手段と、
前記識別情報の変動表示を開始するときに、前記制御信号として、前記事前決定手段による決定結果と、前記第２演出表示実行決定手段による決定結果とを示す結果コマンドを送信する結果コマンド送信手段とを含み、
前記演出制御手段は、
前記変動表示装置において、前記変動表示開始コマンド送信手段によって送信された変動表示開始コマンドに基づいて識別情報の変動表示を開始させた後、当該変動表示開始コマンドに基づく変動表示時間が経過したときに、表示結果を導出表示させる変動表示制御手段と、
前記変動表示開始コマンド送信手段によって送信された変動表示開始コマンドにより前記第１演出表示を実行させる旨が示されているとき、前記第１演出表示を実行させる第１演出表示実行制御手段と、
前記変動表示開始コマンド送信手段によって送信された変動表示開始コマンドと、前記結果コマンド送信手段によって送信された結果コマンドとの少なくともいずれか一方により、前記第２演出表示を実行させる旨が示されたか否かを判定する第２演出表示実行判定手段と、
前記特定遊技状態が開始された後、前記第２演出表示実行判定手段によって前記第２演出表示を実行させる旨が示されたと判定されたときに、前記第２演出表示を実行させる第２演出表示実行制御手段とを含み、
前記演出制御手段は、
前記変動表示開始コマンドによって前記第１演出表示を実行させる旨が示され、かつ、前記第２演出表示実行判定手段によって前記第２演出表示を実行させる旨が示された旨の判定がされたときに、前記結果コマンドが前記特別遊技状態に制御される旨を示しているときには、前記第１演出表示実行制御手段により、前記第１演出表示で前記特別表示結果以外の特定表示結果を導出表示させ、前記第２演出表示実行制御手段により、前記第２演出表示で前記特別遊技状態に制御される旨を表示させることを特徴とする、遊技機。
【請求項７】
前記第２演出表示実行制御手段は、前記特定遊技状態が終了するときに前記第２演出表示を実行させ、
前記演出制御手段は、
前記第２演出表示実行制御手段により前記第２演出表示が実行されずに前記特定遊技状態が終了するときに、特定遊技状態が終了することを前記第２演出表示とは異なる態様で報知する特定遊技状態終了演出表示を実行させる特定遊技状態終了演出表示実行制御手段をさらに含み、
前記第２演出表示実行制御手段による前記第２演出表示の実行時間は、前記特定遊技状態終了演出表示実行制御手段による前記特定遊技状態終了演出表示の実行時間よりも長くなるように設定されていることを特徴とする、請求項１から６のいずれかに記載の遊技機。
【手続補正２】
【補正対象書類名】明細書
【補正対象項目名】０００８
【補正方法】変更
【補正の内容】
【０００８】
（１）  各々が識別可能な複数種類の識別情報（飾り図柄）の変動表示を行なって表示結果を導出表示する変動表示装置（飾り変動表示装置９）を備え、該変動表示装置における前記識別情報の変動表示の表示結果が予め定められた特定表示結果（大当り図柄の組合せ）となったときに、遊技者にとって有利な特定遊技状態（大当り遊技状態）に制御され、さらに、前記識別情報の変動表示の表示結果を前記特定表示結果のうちで予め定められた特別表示結果（確変大当り図柄の組合せ）とする旨に決定されたときに、前記特定遊技状態が終了した後に該特定遊技状態とは異なる遊技者にとって有利な特別遊技状態（確変状態）に制御される遊技機（パチンコ遊技機１）であって、
遊技の進行を制御し、前記変動表示装置を制御するための制御信号を出力する遊技制御手段（遊技制御用マイクロコンピュータ５３）と、
該遊技制御手段からの前記制御信号に基づいて前記変動表示装置を含む演出制御装置の制御を行なう演出制御手段（表示制御用マイクロコンピュータ８００）とを備え、
前記遊技制御手段は、
前記識別情報の変動表示の表示結果を前記特定表示結果とするか否か、および、前記特別遊技状態に制御するか否かを決定する事前決定手段（図１３のＳ３５、図１４のＳ４２）と、
前記事前決定手段によって変動表示の表示結果を前記特定表示結果とする旨の決定がされたとき、前記特別表示結果以外の特定表示結果を仮停止させた後、前記特別表示結果および前記特別表示結果以外の特定表示結果のいずれかを導出表示させる第１演出表示（図８の（Ｃ）〜（Ｅ）に示す１次再抽選表示）を実行させるか否かを決定する第１演出表示実行決定手段（図１６の変動パターン設定処理でのＳ６３，Ｓ６４，Ｓ６９（変動パターンとともに１次再抽選の有無を決定））と、
前記事前決定手段によって表示結果を前記特定表示結果とする旨の決定がされたとき、前記特定遊技状態が開始された後に、前記変動表示装置において前記特別遊技状態に制御されるか否かを示す第２演出表示（図８の（Ｇ），（Ｈ）に示す大当り中２次再抽選表示、図８の（Ｋ），（Ｌ）に示す大当り終了時２次再抽選表示）を実行させるか否かを決定する第２演出表示実行決定手段（図１５の飾り図柄情報決定処理におけるＳ５２）と、
前記識別情報の変動表示を開始するときに、前記制御信号として、前記第１演出表示実行決定手段による決定結果と、前記識別情報の変動表示を開始してから表示結果を導出表示するまでの変動表示時間と、前記識別情報の変動表示の実行開始とを示す変動表示開始コマンド（図６の変動パターンコマンド）を送信する変動表示開始コマンド送信手段（図１６のＳ７２、図１１のＳ１６）と、
前記識別情報の変動表示を開始するときに、前記制御信号として、前記事前決定手段による決定結果と、前記第２演出表示実行決定手段による決定結果とを示す結果コマンド（図６の図柄情報コマンド）を送信する結果コマンド送信手段（図１４のＳ４８、図１１のＳ１６）と、
前記特定遊技状態が開始された後に、前記制御信号として、前記事前決定手段による決定結果と、前記第２演出表示実行決定手段による決定結果とを示す第２演出表示コマンド（図７の大当り開始コマンド、エンディング表示コマンド）を送信する第２演出表示コマンド送信手段（図１８のＳ８３、図２０のＳ１１０、図１１のＳ１６）とを含み、
前記演出制御手段は、
前記変動表示装置において、前記変動表示開始コマンド送信手段によって送信された変動表示開始コマンドに基づいて識別情報の変動表示を開始させた後、当該変動表示開始コマンドに基づく変動表示時間が経過したときに、表示結果を導出表示させる変動表示制御手段（図２３のＳ４０１〜Ｓ４０３）と、
前記変動表示開始コマンド送信手段によって送信された変動表示開始コマンドにより前記第１演出表示を実行させる旨が示されているとき、前記第１演出表示を実行させる第１演出表示実行制御手段（図２４のＳ２６３〜Ｓ２６５、図２６のＳ２７１〜Ｓ２７６、図２３のＳ４０３の第１図柄停止待ち処理）と、
前記第１演出表示が実行される前に、前記結果コマンド送信手段によって送信された結果コマンドにより、前記第２演出表示を実行させる旨が示されたか否かを判定する結果コマンド判定手段（図２５のＳ２５０，Ｓ２５３）と、
前記第２演出表示コマンド送信手段によって第２演出表示コマンドが送信された後に、前記結果コマンド送信手段によって送信された結果コマンドと、前記第２演出表示コマンド送信手段によって送信された第２演出表示コマンドとの少なくともいずれか一方により、前記第２演出表示を実行させる旨が示されたか否かを判定する第２演出表示実行判定手段（図２８のＳ２９３，Ｓ３０３）と、
前記特定遊技状態が開始された後、前記第２演出判定手段によって前記第２演出表示を実行させる旨が示されたと判定されたときに、前記第２演出表示を実行させる第２演出表示実行制御手段（図２８のＳ２９８，Ｓ３００，Ｓ３０７，Ｓ３０９）とを含み、
前記演出制御手段は、
前記変動表示開始コマンドによって前記第１演出表示を実行させる旨が示され（図２５のＳ２４３Ｙ）、かつ、前記結果コマンド判定手段によって前記第２演出表示を実行させる旨が示された旨の判定がされたとき（図２５のＳ２５０Ｙ，Ｓ２５３Ｙ）に、前記結果コマンドが前記特別遊技状態に制御される旨を示しているとき（図２５のＳ２４５Ｙ、Ｓ２４８Ｎ）には、前記第１演出表示実行制御手段により、前記第１演出表示で前記特別表示結果以外の特定表示結果（非確変大当り図柄の組合せ）を導出表示させ（図２５のＳ２５１，Ｓ２５４）、前記第２演出表示実行制御手段により、前記第２演出表示で前記特別遊技状態に制御される旨（確変状態となる旨）を表示させる（図２５のＳ２５２，Ｓ２５６、図２８のＳ３００，Ｓ３０９）。
【手続補正３】
【補正対象書類名】明細書
【補正対象項目名】００１０
【補正方法】変更
【補正の内容】
【００１０】
また、変動表示開始コマンドに基づいて第１演出表示の実行が示され、かつ、結果コマンドおよび第２演出表示コマンドの少なくともいずれか一方に基づいて第２演出表示の実行が示されたときにおいて、結果コマンドが特別遊技状態に制御される旨を示しているときに、第１演出表示で特別表示結果以外の特定表示結果が導出表示され、第２演出表示で特別遊技状態に制御される旨が表示される。これにより、表示結果が特別表示結果となるときの変動表示において、第２演出表示が行なわれる前の第１演出表示で特別遊技状態に制御されることが示されてしまうというような演出表示の不都合が生じることを防ぐことができる。また、第２演出表示コマンドにより、第２演出表示の実行によって特別遊技状態に制御される旨の表示を行なうか否かが示されるので、第２演出表示において、特別遊技状態に制御される旨の表示を行なうか否かについて誤って示してしまうことを防ぐことができる。
【手続補正４】
【補正対象書類名】明細書
【補正対象項目名】００１１
【補正方法】変更
【補正の内容】
【００１１】
また、変動表示を開始するときと、特定遊技状態が開始された後というような異なるタイミングに送信される結果コマンドと第２演出表示コマンドとの複数のコマンドにより、第２演出表示を実行することが示され、これらコマンドの少なくともいずれか一方により第２演出表示を実行することが示されたときに第２演出表示の実行が示された旨の判定がされる。このように、異なるタイミングに送信される複数のコマンドを用いて第２演出表示を実行することが示されるので、たとえば、結果コマンドまたは第２演出表示コマンドを演出制御手段が取りこぼした場合、および、結果コマンドを演出制御手段が取り込んだ後に遊技機の電源が停電等により断たれた場合のように一方のコマンドに基づく第２演出表示が実行不可能となるときでも、第２演出表示コマンドのような他方のコマンドに基づいて第２演出表示を実行することができるようになる。
【手続補正５】
【補正対象書類名】明細書
【補正対象項目名】００１２
【補正方法】変更
【補正の内容】
【００１２】
（２）  各々が識別可能な複数種類の識別情報（飾り図柄）の変動表示を行なって表示結果を導出表示する変動表示装置（飾り変動表示装置９）を備え、該変動表示装置における前記識別情報の変動表示の表示結果が予め定められた特定表示結果（大当り図柄の組合せ）となったときに、遊技者にとって有利な特定遊技状態（大当り遊技状態）に制御され、さらに、前記識別情報の変動表示の表示結果を前記特定表示結果のうちで予め定められた特別表示結果（確変大当り図柄の組合せ）とする旨に決定されたときに、前記特定遊技状態が終了した後に該特定遊技状態とは異なる遊技者にとって有利な特別遊技状態（確変状態）に制御される遊遊技機（パチンコ遊技機１）であって、
遊技の進行を制御し、前記変動表示装置を制御するための制御信号を出力する遊技制御手段（遊技制御用マイクロコンピュータ５３）と、
該遊技制御手段からの前記制御信号に基づいて前記変動表示装置を含む演出制御装置の制御を行なう演出制御手段（表示制御用マイクロコンピュータ８００）とを備え、
前記遊技制御手段は、
前記識別情報の変動表示の表示結果を前記特定表示結果とするか否か、および、前記特別遊技状態に制御するか否かを決定する事前決定手段（図１３のＳ３５、図１４のＳ４２）と、
前記事前決定手段によって変動表示の表示結果を前記特定表示結果とする旨の決定がされたとき、前記特別表示結果以外の特定表示結果を仮停止させた後、前記特別表示結果および前記特別表示結果以外の特定表示結果のいずれかを導出表示させる第１演出表示（図８の（Ｃ）〜（Ｅ）に示す１次再抽選表示）を実行させるか否かを決定する第１演出表示実行決定手段（図１６の変動パターン設定処理でのＳ６３，Ｓ６４，Ｓ６９（変動パターンとともに１次再抽選の有無を決定））と、
前記事前決定手段によって表示結果を前記特定表示結果とする旨の決定がされたとき、前記特定遊技状態が開始された後に、前記変動表示装置において前記特別遊技状態に制御されるか否かを示す第２演出表示（図８の（Ｇ），（Ｈ）に示す大当り中２次再抽選表示、図８の（Ｋ），（Ｌ）に示す大当り終了時２次再抽選表示）を実行させるか否かを決定する第２演出表示実行決定手段（図１６の変動パターン設定処理におけるＳ６９（変動パターンとともに２次再抽選の有無を決定））と、
前記識別情報の変動表示を開始するときに、前記制御信号として、前記第１演出表示実行決定手段による決定結果と、前記第２演出表示実行決定手段による決定結果と、前記識別情報の変動表示を開始してから表示結果を導出表示するまでの変動表示時間と、前記識別情報の変動表示の実行開始とを示す変動表示開始コマンド（図３４の変動パターンコマンド）を送信する変動表示開始コマンド送信手段（図１６のＳ７２、図１１のＳ１６）と、
前記識別情報の変動表示を開始するときに、前記制御信号として、前記事前決定手段による決定結果を示す結果コマンド（図３４の図柄情報コマンド）を送信する結果コマンド送信手段（図３５のＳ４８、図１１のＳ１６）と、
前記特定遊技状態が開始された後に、前記制御信号として、前記事前決定手段による決定結果と、前記第２演出表示実行決定手段による決定結果とを示す第２演出表示コマンド（図７の大当り開始コマンド、エンディング表示コマンド）を送信する第２演出表示コマンド送信手段（図１８のＳ８３、図２０のＳ１１０、図１１のＳ１６）とを含み、
前記演出制御手段は、
前記変動表示装置において、前記変動表示開始コマンド送信手段によって送信された変動表示開始コマンドに基づいて識別情報の変動表示を開始させた後、当該変動表示開始コマンドに基づく変動表示時間が経過したときに、表示結果を導出表示させる変動表示制御手段（図２３のＳ４０１〜Ｓ４０３）と、
前記変動表示開始コマンド送信手段によって送信された変動表示開始コマンドにより前記第１演出表示を実行させる旨が示されているとき、前記第１演出表示を実行させる第１演出表示実行制御手段（図２４のＳ２６３〜Ｓ２６５、図２６のＳ２７１〜Ｓ２７６、図２３のＳ４０３の図柄停止待ち処理）と、
前記第１演出表示が実行される前に、前記変動表示開始コマンド送信手段によって送信された変動表示開始コマンドにより、前記第２演出表示を実行させる旨が示されたか否かを判定する変動表示開始コマンド判定手段（図２５のＳ２５０，Ｓ２５３）と、
前記第２演出表示コマンド送信手段によって第２演出表示コマンドが送信された後に、前記変動表示開始コマンド送信手段によって送信された変動表示開始コマンドと、前記第２演出表示コマンド送信手段によって送信された第２演出表示コマンドとの少なくともいずれか一方により、前記第２演出表示を実行させる旨が示されたか否かを判定する第２演出判定手段（図３７のＳ２９３ａ，Ｓ３０３ａ）と、
前記特定遊技状態が開始された後、前記第２演出判定手段によって前記第２演出表示を実行させる旨が示されたと判定されたときに、前記第２演出表示を実行させる第２演出表示実行制御手段（図３７のＳ２９８，Ｓ３００，Ｓ３０７，Ｓ３０９）とを含み、
前記演出制御手段は、
前記変動表示開始コマンドによって前記第１演出表示を実行させる旨が示され（図２５のＳ２４３Ｙ）、かつ、前記変動表示開始コマンド判定手段によって前記第２演出表示を実行させる旨が示された旨の判定がされたとき（図２５のＳ２５０Ｙ，Ｓ２５３Ｙ）に、前記結果コマンドが前記特別遊技状態に制御される旨を示しているとき（図２５のＳ２４５Ｙ、Ｓ２４８Ｎ）には、前記第１演出表示実行制御手段により、前記第１演出表示で前記特別表示結果以外の特定表示結果（非確変大当り図柄の組合せ）を導出表示させ（図２５のＳ２５１，Ｓ２５４）、前記第２演出表示実行制御手段により、前記第２演出表示で前記特別遊技状態に制御される旨（確変状態となる旨）を表示させる（図２５のＳ２５２，Ｓ２５６、図３７のＳ３００，Ｓ３０９）。
【手続補正６】
【補正対象書類名】明細書
【補正対象項目名】００１４
【補正方法】変更
【補正の内容】
【００１４】
また、変動表示開始コマンドに基づいて第１演出表示の実行が示され、かつ、変動表示開始コマンドおよび第２演出表示コマンドの少なくとも一方に基づいて第２演出表示の実行が示されたときにおいて、結果コマンドが特別遊技状態に制御される旨を示しているときに、第１演出表示で特別表示結果以外の特定表示結果が導出表示され、第２演出表示で特別遊技状態に制御される旨が表示される。これにより、表示結果が特別表示結果となるときの変動表示において、第２演出表示が行なわれる前の第１演出表示で特別遊技状態に制御されることが示されてしまうというような演出表示の不都合が生じることを防ぐことができる。また、第２演出表示コマンドにより、第２演出表示の実行によって特別遊技状態に制御される旨の表示を行なうか否かが示されるので、第２演出表示において、特別遊技状態に制御される旨の表示を行なうか否かについて誤って示してしまうことを防ぐことができる。
【手続補正７】
【補正対象書類名】明細書
【補正対象項目名】００１５
【補正方法】変更
【補正の内容】
【００１５】
また、変動表示を開始するときと、特定遊技状態が開始された後というような異なるタイミングに送信される変動表示開始コマンドと第２演出表示コマンドとの複数のコマンドにより、第２演出表示を実行することが示され、これらコマンドの少なくとも一方により第２演出表示を実行することが示されたときに第２演出表示の実行が示された旨の判定がされる。このように、異なるタイミングに送信される複数のコマンドを用いて第２演出表示を実行することが示されるので、たとえば、変動表示開始コマンドまたは第２演出表示コマンドを演出制御手段が取りこぼした場合、および、変動表示開始コマンドを演出制御手段が取り込んだ後に遊技機の電源が停電等により断たれた場合のように一方のコマンドに基づく第２演出表示が実行不可能となるときでも、第２演出表示コマンドのような他方のコマンドに基づいて第２演出表示を実行することができるようになる。
【手続補正８】
【補正対象書類名】明細書
【補正対象項目名】００２２
【補正方法】変更
【補正の内容】
【００２２】
（６）  各々が識別可能な複数種類の識別情報（飾り図柄）の変動表示を行なって表示結果を導出表示する変動表示装置（飾り変動表示装置９）を備え、該変動表示装置における前記識別情報の変動表示の表示結果が予め定められた特定表示結果（大当り図柄の組合せ）となったときに、遊技者にとって有利な特定遊技状態（大当り遊技状態）に制御され、さらに、前記識別情報の変動表示の表示結果を前記特定表示結果のうちで予め定められた特別表示結果（確変大当り図柄の組合せ）とする旨に決定されたときに、前記特定遊技状態が終了した後に該特定遊技状態とは異なる遊技者にとって有利な特別遊技状態（確変状態）に制御される遊技機（パチンコ遊技機１）であって、
遊技の進行を制御し、前記変動表示装置を制御するための制御信号を出力する遊技制御手段（遊技制御用マイクロコンピュータ５３）と、
該遊技制御手段からの前記制御信号に基づいて前記変動表示装置を含む演出制御装置の制御を行なう演出制御手段（表示制御用マイクロコンピュータ８００）とを備え、
前記遊技制御手段は、
前記識別情報の変動表示の表示結果を前記特定表示結果とするか否か、および、前記特別遊技状態に制御するか否かを決定する事前決定手段（図１３のＳ３５、図１４のＳ４２）と、
前記事前決定手段によって変動表示の表示結果を前記特定表示結果とする旨の決定がされたとき、前記特別表示結果以外の特定表示結果を仮停止させた後、前記特別表示結果および前記特別表示結果以外の特定表示結果のいずれかを導出表示させる第１演出表示（図８の（Ｃ）〜（Ｅ）に示す１次再抽選表示）を実行させるか否かを決定する第１演出表示実行決定手段（図４３の変動パターン設定処理でのＳ６３，Ｓ６４，Ｓ６９（変動パターンとともに１次再抽選の有無を決定））と、
前記事前決定手段によって表示結果を前記特定表示結果とする旨の決定がされたとき、前記特定遊技状態が開始された後に、前記変動表示装置において前記特別遊技状態に制御されるか否かを示す第２演出表示（図８の（Ｇ），（Ｈ）に示す大当り中２次再抽選表示、図８の（Ｋ），（Ｌ）に示す大当り終了時２次再抽選表示）を実行させるか否かを決定する第２演出表示実行決定手段（図４３の変動パターン設定処理におけるＳ６９（変動パターンとともに２次再抽選の有無を決定））と、
前記識別情報の変動表示を開始するときに、前記制御信号として、前記事前決定手段による決定結果と、前記第１演出表示実行決定手段による決定結果と、前記第２演出表示実行決定手段による決定結果と、前記識別情報の変動表示を開始してから表示結果を導出表示するまでの変動表示時間と、前記識別情報の変動表示の実行開始とを示す変動表示開始コマンド（図４１，図４２の変動パターンコマンド）を送信する変動表示開始コマンド送信手段（図４３のＳ７２、図１１のＳ１６）と、
前記識別情報の変動表示を開始するときに、前記制御信号として、前記事前決定手段による決定結果と、前記第２演出表示実行決定手段による決定結果とを示す結果コマンド（図４２の図柄情報コマンド）を送信する結果コマンド送信手段（図４３のＳ７１ｂ、図１１のＳ１６）とを含み、
前記演出制御手段は、
前記変動表示装置において、前記変動表示開始コマンド送信手段によって送信された変動表示開始コマンドに基づいて識別情報の変動表示を開始させた後、当該変動表示開始コマンドに基づく変動表示時間が経過したときに、表示結果を導出表示させる変動表示制御手段（図２３のＳ４０１〜Ｓ４０３）と、
前記変動表示開始コマンド送信手段によって送信された変動表示開始コマンドにより前記第１演出表示を実行させる旨が示されているとき、前記第１演出表示を実行させる第１演出表示実行制御手段（図２４のＳ２６３〜Ｓ２６５、図２６のＳ２７１〜Ｓ２７６、図２３のＳ４０３の図柄停止待ち処理）と、
前記変動表示開始コマンド送信手段によって送信された変動表示開始コマンドと、前記結果コマンド送信手段によって送信された結果コマンドとの少なくともいずれか一方により、前記第２演出表示を実行させる旨が示されたか否かを判定する第２演出表示実行判定手段（図２５のＳ２５０，Ｓ２５３）と、
前記特定遊技状態が開始された後、前記第２演出表示実行判定手段によって前記第２演出表示を実行させる旨が示されたと判定されたときに、前記第２演出表示を実行させる第２演出表示実行制御手段（図４５のＳ２９８，Ｓ３００，Ｓ３０７Ｓ３０９）とを含み、
前記演出制御手段は、
前記変動表示開始コマンドによって前記第１演出表示を実行させる旨が示され（図２５のＳ２４３Ｙ）、かつ、前記第２演出表示実行判定手段によって前記第２演出表示を実行させる旨が示された旨の判定がされたとき（図２５のＳ２５０Ｙ，Ｓ２５３Ｙ）に、前記結果コマンドが前記特別遊技状態に制御される旨を示しているとき（図２５のＳ２４５Ｙ、Ｓ２４８Ｎ）には、前記第１演出表示実行制御手段により、前記第１演出表示で前記特別表示結果以外の特定表示結果（非確変大当り図柄の組合せ）を導出表示させ（図２５のＳ２５１，Ｓ２５４）、前記第２演出表示実行制御手段により、前記第２演出表示で前記特別遊技状態に制御される旨（確変状態となる旨）を表示させる（図２５のＳ２５２，Ｓ２５６、図４５のＳ３００，Ｓ３０９）。
【手続補正９】
【補正対象書類名】明細書
【補正対象項目名】００２４
【補正方法】変更
【補正の内容】
【００２４】
また、変動表示開始コマンドに基づいて第１演出表示の実行が示され、かつ、変動表示開始コマンドおよび結果コマンドの少なくとも一方に基づいて第２演出表示の実行が示されたときにおいて、結果コマンドが特別遊技状態に制御される旨を示しているときに、第１演出表示で特別表示結果以外の特定表示結果が導出表示され、第２演出表示で特別遊技状態に制御される旨が表示される。これにより、表示結果が特別表示結果となるときの変動表示において、第２演出表示が行なわれる前の第１演出表示で特別遊技状態に制御されることが示されてしまうというような演出表示の不都合が生じることを防ぐことができる。
【手続補正１０】
【補正対象書類名】明細書
【補正対象項目名】００２５
【補正方法】変更
【補正の内容】
【００２５】
また、少なくとも変動表示開始コマンドと結果コマンドとの複数のコマンドにより、第２演出表示を実行することが示され、これらコマンドの少なくとも一方により第２演出表示を実行することが示されたときに第２演出表示の実行が示された旨の判定がされる。このように、複数のコマンドを用いて第２演出表示を実行することが示されるので、たとえば、結果コマンドまたは変動表示開始コマンドを演出制御手段が取りこぼした場合のように一方のコマンドに基づく第２演出表示が実行不可能となるときでも、他方のコマンドに基づいて第２演出表示を実行することができるようになる。